(57)【要約】【課題】フェンダカバーが太陽光や雨水等により晒されて経年変化したとしても、弾接舌片部による車体のフロントピラーへの弾性力を常時保持できる。【解決手段】自動車１のフロントフェンダ５に沿って設けられて、ウィンドシールドガラス３の下端隅角部３ａを覆う場合、フェンダカバー１０の外周端部にフロントフェンダ５の端末部を挟着する挟着凹部１２を設けると共に、フェンダカバー１０の裏面側に自動車１のフロントピラー２に当接する弾性変形可能な弾接舌片部１３を複数個形成しており、さらに、各弾性舌片部１３にそれぞれ交差連結する突っ張り片１４をフェンダカバー１０の裏面側に起立形成した。【選択図】図４
2010006329.tif 000002
【特許請求の範囲】
【請求項１】
自動車のフロントフェンダに沿って設けられて、ウィンドシールドガラスの下端隅角部を覆うフェンダカバー構造であって、前記フェンダカバーの裏面側に前記自動車のフロントピラーに当接する弾性変形可能な弾接舌片部を複数個形成しており、さらに、前記各弾性舌片部にそれぞれ交差連結する突っ張り片を前記フェンダカバーの裏面側に起立形成したことを特徴とする自動車のフェンダカバー構造。
【請求項２】
前記突っ張り片における前記弾性舌片部が交差連結する一方の側面に対向する他方の側面に対して交差連結するように、前記フェンダカバーの裏面側に起立支え片を形成したことを特徴とする請求項１に記載の自動車のフェンダカバー構造。
【請求項３】
前記弾性舌片部と前記起立支え片とは、前記突っ張り片を挟んで非対向配置されていることを特徴とする請求項２に記載の自動車のフェンダカバー構造。
【請求項４】
前記突っ張り片は、平面視無端条に形成して、該突っ張り片における側面壁に前記弾性舌片部を形成したことを特徴とする請求項１に記載の自動車のフェンダカバー構造。
【請求項５】
前記突っ張り片における前記側面壁の前記弾性舌片部に対向する位置において、前記フェンダカバーの裏面側に起立支え片を形成したことを特徴とする請求項４に記載の自動車のフェンダカバー構造。
【請求項６】
前記起立支え片を、前記フェンダカバーの外周部に形成され前記フロントフェンダの端末を挟着する挟着凹部に連結させたことを特徴とする請求項２、３または５に記載の自動車のフェンダカバー構造。
【発明の詳細な説明】
【技術分野】
【０００１】
本発明は、自動車車体を構成するフロントフェンダに沿って設けられて、ウィンドシールドガラスの下端隅角部を覆うフェンダカバー構造に関する。
【背景技術】
【０００２】
従来におけるこの種のフェンダカバー構造は、自動車のフロントフェンダに沿って設けられて、ウィンドシールドガラスの下端隅角部を覆うべく、フェンダカバーの内周端部側にウィンドシールドガラスの下端隅角部を覆う内周縁リップ部を形成すると共に、フェンダカバーの外周部にフロントフェンダの端末部を挟着する挟着凹部を設け、且つ、フェンダカバーの裏面側に車体のフロントピラーに当接する弾性変形可能な弾接舌片部を形成しており、更に、フェンダカバーにおける挟着凹部より先端側にフロントフェンダの裏面側に弾接する当接片部を形成して構成している（特許文献１参照）
【特許文献１】特開２００７−３０８３４号公報
【０００３】
そして、上記従来のフェンダカバー構造によれば、フェンダカバーの内周縁部に設けた挟着凹部により、フロントフェンダの端末部を挟着する構成とすると共に、フェンダカバーの裏面側に形成した弾接舌片部を車体のフロントピラーに当接することにより、先ず、フェンダカバーの車体左右方向に対しては、挟着凹部の両対向側壁により強干渉構造となり、また、フェンダカバーの車体上下方向に対しては、挟着凹部の底部がフロントフェンダに対向すると共に弾接舌片部が弾性変形しながら車体側に当接することにより強干渉構造となって、車体組立て上のバラツキに対応できることから、フェンダカバーをフロントフェンダ側に押付けて、安定的に取付けることができるようにしている。
【発明の開示】
【発明が解決しようとする課題】
【０００４】
しかしながら、弾接舌片部は、弾性変形させた状態で車体側に当接することにより強干渉構造とするようになっているため、特に太陽光や雨水等に対して表出して晒されるフェンダカバーの経年変化により、弾性力が弱くなりへたって弾性変形した状態のままで塑性変形してしまうおそれがある。
【０００５】
そこで、本発明は、フェンダカバーが太陽光や雨水等により晒されて経年変化したとしても、弾接舌片部による車体のフロントピラーへの弾性力を常時保持できるように構成した自動車のフェンダカバー構造を提供することを目的としている。
【課題を解決するための手段】
【０００６】
本発明に係る自動車のフェンダカバー構造は、自動車のフロントフェンダに沿って設けられて、ウィンドシールドガラスの下端隅角部を覆うフェンダカバー構造であって、前記フェンダカバーの裏面側に前記自動車のフロントピラーに当接する弾性変形可能な弾接舌片部を複数個形成しており、さらに、前記各弾性舌片部にそれぞれ交差連結する突っ張り片を前記フェンダカバーの裏面側に起立形成したことを特徴とする。
【０００７】
本発明によれば、フロントピラーに弾性変形した状態で当接する弾接舌片部は、当該弾接舌片部に交差連結する突っ張り片をフェンダカバーの裏面側に起立形成したために、その弾性力に突っ張り片の弾性変形による反力が助長されて強干渉構造を呈することになって、太陽光や雨水等により晒されることによるフェンダカバーの経年変化が生じたとしても、突っ張り片側の弾性力の維持による強干渉状態が保持されてフロントピラーに常に所定の圧接力をもって当接していることになって、フロントフェンダに沿っウィンドシールドガラスの下端隅角部を安定的に覆うことができる。
【０００８】
また、本発明に係る自動車のフェンダカバー構造は、前記突っ張り片における前記弾性舌片部が交差連結する一方の側面に対向する他方の側面に対して交差連結するように、前記フェンダカバーの裏面側に起立支え片を形成するようにしてもよい。
【０００９】
かかる構成により、起立支え片が更に突っ張り片を介して弾性舌片部におけるフロントピラーへの圧接弾性力を助長することになって、更にフロントフェンダに沿っウィンドシールドガラスの下端隅角部を安定的に覆うことができる。
【００１０】
また、本発明に係る自動車のフェンダカバー構造における前記弾性舌片部と前記起立支え片とは、前記突っ張り片を挟んで非対向配置にするようにしてもよい。
【００１１】
かかる構成により、弾性舌片部が突っ張り片を挟んで非対向配置された起立支え片が弾性舌片部におけるフロントピラーへの弾性圧接力を助長することになって、フロントフェンダに沿っウィンドシールドガラスの下端隅角部を安定的に覆うことができる。
【００１２】
また、本発明に係る自動車のフェンダカバー構造における前記突っ張り片は、平面視無端条に形成して、該突っ張り片における側面壁に前記弾性舌片部を形成するようにしてもよい。
【００１３】
かかる構成により、突っ張り片を平面視無端条例えばボックス状あるいは円形に形成することにより、突っ張り片における側面壁に形成された弾性舌片部の弾性力を加算することになって、弾性舌片部が経年変化に対向してフロントピラーへの弾性圧接力を助長し、フロントフェンダに沿っウィンドシールドガラスの下端隅角部を更に安定的に覆うことができる。
【００１４】
また、本発明に係る自動車のフェンダカバー構造は、無端条に形成した前記突っ張り片における前記側面壁の前記弾性舌片部に対向する位置において、前記フェンダカバーの裏面側に起立支え片を形成するようにしてもよい。
【００１５】
かかる構成により、弾性舌片部の弾性力は、突っ張り片を介して起立支え片によって更に助長されることになって、フロントフェンダに沿っウィンドシールドガラスの下端隅角部をフェンダカバーにより更に安定的に覆うことができる。
【００１６】
また、本発明は、前記起立支え片を、前記フェンダカバーの外周部に形成され前記フロントフェンダの端末を挟着する挟着凹部に連結させるようにしてもよく、かかる構成により、弾性舌片部の弾性力を更に挟着凹部が助長することになると共に、起立支え片の弾性力の反力が挟着凹部にももたらされ、挟着凹部によるフロントフェンダの端末への挟着力を助長することになって、フェンダカバーが益々フロントフェンダに沿ってウィンドシールドガラスの下端隅角部を安定的に覆うことができることになる。
【発明の効果】
【００１７】
上記のように構成する本発明によれば、フロントピラーに弾性変形した状態で当接する弾接舌片部は、当該弾接舌片部に交差連結する突っ張り片をフェンダカバーの裏面側に起立形成したために、弾接舌片部の弾性力が突っ張り片の弾性力が加わって助長された状態でフロントピラーに強干渉することになって、太陽光や雨水等により晒されることによるフェンダカバーの経年変化が生じたとしても、弾接舌片部の弾性力が実質的に維持されフロントピラーに常に所定の圧接力をもって当接していることになって、フロントフェンダに沿ってウィンドシールドガラスの下端隅角部を安定的に覆うことができる。
【発明を実施するための最良の形態】
【００１８】
次に、本発明に係る実施の形態について、図を用いて説明する。
【００１９】
図１は自動車のフロント部を描画した斜視図、図２は、本発明に係る第１の実施の形態における図１のウィンドシールドガラスの下端隅角部周辺を拡大して描画した斜視図、図３は本発明に係る第１の実施の形態によるフェンダカバー単体を斜め表面側から描画した斜視図、図４は同じく裏面側から描画した斜視図、図５は図３のＡ−Ａ断面図、図６は図３のＢ−Ｂ断面図である。
【００２０】
先ず、図１或いは図２に示すように、自動車１の左右フロントピラー２の間において、ウィンドシールドガラス３は、その周部をフロントピラー２或いはフロントカウルおよびフロントアッパーレール（不図示）等の車体構成メンバーに接着などにより取り付けられており、また、ウィンドシールドガラス３の下端隅角部３ａが、フロントピラー２に装着した合成樹脂製のフェンダ５によってカバーされている。
【００２１】
ウィンドシールドガラス３の下端部前側には、エンジンフード７との間に沿って、カウルトップカバー８が設けられている。
【００２２】
そして、カウルトップカバー８の端末とフロントフェンダ５の下端端末との間におけるウィンドシールドガラス３の下端隅角部３ａは、フェンダカバー１０によって覆われている。
【００２３】
フェンダカバー１０は、その内周端部側には、ウィンドシールドガラス３の下端隅角部３ａを覆う内周縁リップ部１１が形成されており、図３乃至図６に示すように、内周縁リップ部１１より外周端部側には、フロントフェンダ５の端末５ａを挟着する略コ字状の挟着凹部１２が設けられている。
【００２４】
また、フェンダカバー１０における外周端部の裏面側には、フロントフェンダ５の裏面側に弾接する弾接舌片部１３が複数個形成されていると共に、弾接舌片部１３を交差連結する突っ張り片１４が設けられている。
【００２５】
突っ張り片１４は、平板状に形成してもよいが、本実施の形態においては、平面視無端条を呈するボックス状に形成されて、側面壁１４ａに弾接舌片部１３が一体形成されている一方、側面壁１４ａにおける弾接片部１３に対向する位置において、フェンダカバー５の裏面側に起立支え片１５が形成されている。
【００２６】
起立支え片１５における突っ張り片１４に対して反対側の端部は、挟着凹部１２に連設している。
【００２７】
更に、突っ張り片１４は、その車体上部側に向かって狭くなるようなボックス形状に形成されており、その内壁部が弾接舌片部１３の延在方向に沿うような状態で、複数の隔壁１４ｂによって区画されており、各隔壁１４ｂは側面壁１４ａを挟む状態で弾接舌片部１３に対して非対向配置されている。
【００２８】
このように構成されたフェンダカバー１０は、図４に示すようにその裏面側におけるカウルトップカバー８に対向する位置に、複数のクリップ部１０Ａを立設して、クリップ部１０Ａをカウルトップカバー８に設けたクリップ孔（不図示）に係着することによって、ウィンドガラス３の下端隅角部３ａを覆うようになっている。
【００２９】
このとき、図５に示すように、フェンダカバー１０においては、挟着凹部１２にフロントフェンダ５の折曲された端末５ａが嵌入し、弾接舌片部１３はフロントピラー２にある程度弾性変形した状態で弾接していることになる。
【００３０】
そして、弾接舌片部１３は弾性変形可能に形成されていることから、先端部が屈曲した状態でフロントピラー２に当接することになって、フロントピラー２とフロントフェンダ５との間の組立誤差間隙を吸収している。
【００３１】
更に、フロントピラー２に弾性変形した状態で当接する弾接舌片部１３は、弾接舌片部に交差連結するようにフェンダカバー１０の裏面側に起立形成したボックス状の突っ張り片１４の側面壁１４ａが図６において一点鎖線で記載するたように内方に凹状に弾性変形することにより、その弾性力をもって強干渉構造を呈し、結果的に弾接舌片部１３の弾性力を助長することになって、太陽光や雨水等により晒されることによるフェンダカバー５の経年変化が生じたとしても、突っ張り片１４側の弾性力の維持による強干渉状態が保持されてフロントピラー２に常に所定の圧接力をもって当接していることになり、フロントフェンダ５に沿っウィンドシールドガラス３の下端隅角部３ａを安定的に覆うことができる。
【００３２】
また、突っ張り片１４は、挟着凹部１２に連結形成した起立支え片１５を介して挟着凹部１２側からの押圧力によって側壁面１４ａが一点鎖線示のように内方に凹状に弾性変形することになり、この結果、挟着凹部１２側に反力をもたらせて、挟着凹部１２によるフロントフェンダ５の嵌合力を助長すると共に、突っ張り片１４を介して弾接舌片部１３の弾性力をも実質的に支えることになる。
【００３３】
さらに、突っ張り片１４は、その内壁に形成した隔壁１４ｂによっても、その弾性力が経年変化しないように助長されることになる。
【００３４】
次に、図７乃至図１１を用いて、本発明の他の実施の形態について説明する。
【００３５】
先ず、本発明に係る第２の実施の形態を示す図７においては、上記第１の実施の形態においては、突っ張り片１４が、車体上部側に向かって狭くなるような平面視ボックス形状に形成したのに対し、平面視長方形となるボックス状に形成すると共に、各弾性舌片部１３にそれぞれ対向するように、側面壁１４ａに複数の起立支え片１５を形成した点、相違しており、その他の構成は、ほぼ同一なので、同一符号を付すことにより詳細説明は割愛する。
【００３６】
図８に示す本発明に係る第３の実施の形態においては、突っ張り片１４が、複数の弾性舌片部１３毎に分割された分割突っ張り片１４−１により構成したほか、図７で示す第２の実施の形態と同様な構成を有しているものである。
【００３７】
図９は本発明に係る第４の実施の形態においては、図８に示す第３の実施の形態のように平面視四角形の分割突っ張り片１４−１により構成した点に代わり、平面視円形に形成したものであり、その他の構成は同じであるので、同一符号を付すことにより、詳細説明は割愛する。
【００３８】
図１０に示す本発明に係る第４の実施の形態においては、突っ張り片１４が平板を平面視波形することにより形成し、波形形状の山部および谷部にそれぞれ互い違いになるように、弾接舌片１３および起立支え片１５を連結形成しており、弾接舌片１３は上記の実施の形態と同様にフロントピラー２に弾接しているのに対し、起立支え片１５はフロントフェンダ５の端末５ａに弾接さえている点異なる。
【００３９】
図１１に示す本発明に係る第５の実施の形態においては、図７に示す突っ張り片１４における側面壁１４ａが、起立支え片１５を挟むような状態で、切欠き部１４ｃを形成したものである。
【００４０】
そして、図７乃至図１１に描画した各実施の形態は、突っ張り片１４による弾接舌片部１３への弾性力の助長程度を適宜選択できるように構成したものである。
【産業上の利用可能性】
【００４１】
以上説明したように、本発明は、フロントピラーに弾性変形した状態で当接する弾接舌片部は、当該弾接舌片部に交差連結する突っ張り片をフェンダカバーの裏面側に起立形成したために、弾接舌片部の弾性力が突っ張り片の弾性力が加わって助長された状態でフロントピラーに強干渉することになって、太陽光や雨水等により晒されることによるフェンダカバーの経年変化が生じたとしても、弾接舌片部の弾性力が実質的に維持されフロントピラーに常に所定の圧接力をもって当接していることになって、フロントフェンダに沿ってウィンドシールドガラスの下端隅角部を安定的に覆うことができる。
【００４２】
この結果、本発明は、自動車車体を構成するフロントフェンダに沿って設けられて、ウィンドシールドガラスの下端隅角部を覆うフェンダカバー構造等に好適であるといえる。
【図面の簡単な説明】
【００４３】
【図１】自動車のフロント部を描画した斜視図である。
【図２】本発明に係る第１の実施の形態における図１のウィンドシールドガラスの下端隅角部周辺を拡大して描画した斜視図である。
【図３】本発明に係る第１の実施の形態によるフェンダカバー単体を斜め表面側から描画した斜視図である。
【図４】本発明に係る第１の実施の形態によるフェンダカバー単体を斜め裏面側から描画した斜視図である。
【図５】図３のＡ−Ａ断面図である。
【図６】図３のＢ−Ｂ断面図である。
【図７】本発明に係る第２の実施の形態による図６と同様の断面図である。
【図８】本発明に係る第３の実施の形態による図６と同様の断面図である。
【図９】本発明に係る第４の実施の形態による図６と同様の断面図である。
【図１０】本発明に係る第５の実施の形態による図６と同様の断面図である。
【図１１】本発明に係る第６の実施の形態による図６と同様の断面図である。
【符号の説明】
【００４４】
１    自動車
２    フロントピラー
３    ウィンドシールドガラス
３ａ  下端隅角部
５    フロントフェンダー
１０    フェンダカバー
１２    挟着凹部
１３    弾接舌片部
１４    突っ張り片
１５    起立支え片
【図１】
2010006329.tif 000003
【図２】
2010006329.tif 000004
【図３】
2010006329.tif 000005
【図４】
2010006329.tif 000006
【図５】
2010006329.tif 000007
【図６】
2010006329.tif 000008
【図７】
2010006329.tif 000009
【図８】
2010006329.tif 000010
【図９】
2010006329.tif 000011
【図１０】
2010006329.tif 000012
【図１１】
2010006329.tif 000013